(57)【要約】【課題】ブレスレット型の身体装着品でありながら、耳への装着も可能とするものであり、耳への装着時において、製品を二体に分離する必要がなく、耳から外れにくい製品を提供する。【解決手段】音を発生するイヤホン１２と、イヤホン１２が設けられたケース１０と、ケース１０と連結されているリング１１とを有し、リング１１は使用者Ｍの手首Ｗと耳殻Ｅとに装着可能に構成されている。ケース１０とリング１１とは環状部１ａを形成し、使用者Ｍの耳殻Ｅに装着した状態では環状部１ａが耳殻Ｅを囲み、イヤホン１２が外耳道孔に挿入可能な位置に配置される。【選択図】図１
2017153012.tif 000002
【特許請求の範囲】
【請求項１】
音を発生する音発生部と、
前記音発生部が設けられた筐体と、
前記筐体と連結されている帯部と、を有し、
前記帯部は、使用者の手首と耳とに装着可能に構成されていることを特徴とする身体装着品。
【請求項２】
前記筐体と前記帯部とは環状部を形成し、
前記使用者の前記耳に装着した状態では、前記環状部が耳殻を囲み、前記音発生部が外耳道孔に挿入可能な位置に配置されることを特徴とする請求項１に記載の身体装着品。
【請求項３】
前記帯部は、周長変更手段を有し、
前記周長変更手段は、前記使用者の前記手首への装着に適した第１周長と、前記使用者の前記耳殻を囲むことに適した第２周長と、を選択可能に構成されていることを特徴とする請求項２に記載の身体装着品。
【請求項４】
前記帯部は、外部に配置された柔軟性のある樹脂材料と、内部に通された金属と、を有し、
前記使用者の前記手首への装着に適した第１形状と、前記使用者の前記耳殻を囲むことに適した第２形状と、を選択可能に構成されていることを特徴とする請求項２に記載の身体装着品。
【請求項５】
前記帯部は、前記筐体から外して交換可能であることを特徴とする請求項１乃至４の何れか一項に記載の身体装着品。
【請求項６】
前記帯部は、外側と内側とを反転可能なリバーシブルベルトであることを特徴とする請求項１乃至５の何れか一項に記載の身体装着品。
【請求項７】
前記筐体は、情報を表示する表示部をさらに有し、
前記音発生部から発生する前記音は、前記表示部に表示する前記情報に関連する音であることを特徴とする請求項１乃至６の何れか一項に記載の身体装着品。
【請求項８】
前記表示部は、映像表示により不特定多数に前記情報を提供することを特徴とする請求項７に記載の身体装着品。
【請求項９】
前記表示部は、ダイヤルと、前記ダイヤル上で回動する指針と、を含み、
前記情報は、時間データを含み、前記ダイヤルと前記指針とによって表示されることを特徴とする請求項７または８に記載の身体装着品。
【請求項１０】
前記音発生部は、前記筐体に収納可能且つ前記筐体から突出可能に構成されることを特徴とする請求項１乃至９の何れか一項に記載の身体装着品。
【請求項１１】
前記筐体は、前記音発生部が設けられる部位の反対側に、美観を提供する装飾部を有し、
前記音発生部が内側に向けられ前記装飾部が外側に向けられる状態で、前記帯部に固定されることを特徴とする請求項１乃至１０の何れか一項に記載の身体装着品。
【発明の詳細な説明】
【技術分野】
【０００１】
本発明は、使用者が身に着ける身体装着品（ウエアラブル・グッズ）に関する。
【背景技術】
【０００２】
携帯端末とイヤホン装置とを備えたシステムが開示されている（例えば、特許文献１参照）。特許文献１では、満員電車等、身動きが制約されるような場所で、携帯端末を目で見て確認できない場合であっても、音の情報を耳で聞いて確認できる。
このようなイヤホンで情報を使用者に伝える携帯端末として、様々な形態の製品が既に販売されている。
【０００３】
例えば、スマートフォンなどの携帯端末から近距離無線通信技術を用いて、ヘッドセットと呼ばれるイヤホン装置に情報を伝えるタイプ（分離タイプ）がある。
また、通常使用時には一個のブレスレット型の携帯端末でありながら、イヤホン装置部分をベルト部分から取り外して耳に装着することができるタイプ（着脱タイプ）がある。
【先行技術文献】
【特許文献】
【０００４】
【特許文献１】特開２００８−６５６０２
【発明の概要】
【発明が解決しようとする課題】
【０００５】
スマートフォンなど携帯端末とイヤホン装置とをセットで使用する分離タイプの場合、使用者は機器を２個持たなければならないので、煩わしい。
また、携帯端末からイヤホン装置を外すことができる着脱タイプでは、着脱構造をとる必要から、イヤホン装置の形状に制約が多くなる。そのために、耳へのフィット感を良くすることは難しく、更に、着脱しやすい形状であればあるほど、ベルトからイヤホン装置が外れやすくなってしまうので、衝撃などでイヤホン装置が簡単に落下し、紛失するおそれもある。
【０００６】
そこで、本発明は、従来のこのような問題点の少なくとも一部を解消するものであり、身につける製品として、広く認知されているブレスレット型の製品でありながら、必要に応じて、耳への装着も可能とするものであり、特に、耳への装着時において、製品を二体に分離する必要がなく、耳から外れにくい製品を提供することを目的とする。
【課題を解決するための手段】
【０００７】
［適用例１］本適用例に係る身体装着品は、音を発生する音発生部と、前記音発生部が設けられた筐体と、前記筐体と連結されている帯部と、を有し、前記帯部は、使用者の手首と耳とに装着可能に構成されていることを特徴とする。
【０００８】
上記構成によれば、音発生部が設けられた筐体と連結された帯部とを有する身体装着品を使用者の手首に装着した状態から耳に装着し直す場合に、身体装着品を二体に分離する必要がない。
【０００９】
［適用例２］上記適用例の身体装着品であって、前記筐体と前記帯部とは環状部を形成し、前記使用者の前記耳に装着した状態では、前記環状部が耳殻を囲み、前記音発生部が外耳道孔に挿入可能な位置に配置されることが好ましい。
【００１０】
上記構成によれば、筐体と帯部とで構成される環状部で使用者の耳殻を囲んだ状態で、音発生部を耳の穴に挿し込めるので、環状部と音発生部との両方で使用者の耳に身体装着品を保持できることになり、身体装着品が耳から不用意に外れにくくなる。
【００１１】
［適用例３］上記適用例の身体装着品であって、前記帯部は、周長変更手段を有し、前記周長変更手段は、前記使用者の前記手首への装着に適した第１周長と、前記使用者の前記耳殻を囲むことに適した第２周長と、を選択可能に構成されていることが好ましい。
【００１２】
上記構成によれば、周長変更手段により環状部の周長が第１周長と第２周長とに変更可能であるので、使用者の手首へ装着する場合と耳に装着する場合との両方で、極めて優れた装着感を得ることができ、身体装着品が身体から外れてしまうことを抑制できる。
【００１３】
［適用例４］上記適用例の身体装着品であって、前記帯部は、外部に配置された柔軟性のある樹脂材料と、内部に通された金属と、を有し、前記使用者の前記手首への装着に適した第１形状と、前記使用者の前記耳殻を囲むことに適した第２形状と、を選択可能に構成されていることが好ましい。
【００１４】
上記構成によれば、環状部の形状が第１形状と第２形状とを選択可能であるので、使用者の手首へ装着する場合と耳に装着する場合との両方で、極めて優れた装着感を得ることができ、身体装着品が身体から外れてしまうことを抑制できる。
【００１５】
［適用例５］上記適用例の身体装着品であって、前記帯部は、前記筐体から外して交換可能であることが好ましい。
【００１６】
上記構成によれば、使用状況により帯部が劣化した場合や、使用者の嗜好により帯部を変更したい場合に、帯部を交換できる。
【００１７】
［適用例６］上記適用例の身体装着品であって、前記帯部は、外側と内側とを反転可能なリバーシブルベルトであることが好ましい。
【００１８】
上記構成によれば、帯部の外側と内側とを反転可能であるので、身体装着品を手首に装着する場合と耳に装着する場合とで、帯部の向きが最適になるように変えることができる。
【００１９】
［適用例７］上記適用例の身体装着品であって、前記筐体は、情報を表示する表示部をさらに有し、前記音発生部から発生する前記音は、前記表示部に表示する前記情報に関連する音であることが好ましい。
【００２０】
上記構成によれば、身体装着品を耳に装着した状態では、使用者は直接情報を目で見ることが困難な場合であっても、表示部に表示する情報に関連する音を耳で聞くことにより、情報を入手することができる。
【００２１】
［適用例８］上記適用例の身体装着品であって、前記表示部は、映像表示により不特定多数に前記情報を提供することが好ましい。
【００２２】
上記構成によれば、映像表示が装飾的美観を有するものであれば身体装着品に装身具としての付加価値を付与でき、また、災害時には映像表示により人（使用者）がいることを知らせる防災の役割も得られる。
【００２３】
［適用例９］上記適用例の身体装着品であって、前記表示部は、ダイヤルと、前記ダイヤル上で回動する指針と、を含み、前記情報は、時間データを含み、前記ダイヤルと前記指針とによって表示されることが好ましい。
【００２４】
上記構成によれば、表示部がダイヤルと指針とを含むので、身体装着品を視認性が高くファッション性もあるアナログ式の腕時計として使用できる。
【００２５】
［適用例１０］上記適用例の身体装着品であって、前記音発生部は、前記筐体に収納可能且つ前記筐体から突出可能に構成されることが好ましい。
【００２６】
上記構成によれば、本願発明の身体装着品を耳に装着する時には音発生部が筐体から突出した状態にし、手首に装着する時には音発生部が筐体に収納された状態とすることで、身体装着品を手首に装着する時に音発生部がじゃまにならない。
【００２７】
［適用例１１］上記適用例の身体装着品であって、前記筐体は、前記音発生部が設けられる部位の反対側に、美観を提供する装飾部を有し、前記音発生部が内側に向けられ前記装飾部が外側に向けられる状態で、前記帯部に固定されることが好ましい。
【００２８】
上記構成によれば、身体装着品を耳に装着する場合に、身体装着品をイヤリングやイヤカフのような装身具（アクセサリー）として使用できる。
【図面の簡単な説明】
【００２９】
【図１】第１実施形態に係る身体装着品の構成を示す概略図。
【図２】第１実施形態に係る身体装着品の耳への装着状態を示す概略図。
【図３】第１実施形態に係る身体装着品の手首への装着状態を示す概略図。
【図４】第２実施形態に係る身体装着品の構成を示す概略図。
【図５】第３実施形態に係る身体装着品の構成を示す概略図。
【図６】第３実施形態に係る留め具の構成を示す概略図。
【図７】第３実施形態に係る身体装着品の外観図。
【図８】第３実施形態に係る身体装着品を耳に装着した場合の外観図。
【図９】第４実施形態に係る身体装着品の構成を示す概略図。
【図１０Ａ】第４実施形態に係る身体装着品の表示部に表示される映像の例を示す図。
【図１０Ｂ】第４実施形態に係る身体装着品の表示部に表示される映像の例を示す図。
【図１０Ｃ】第４実施形態に係る身体装着品の表示部に表示される映像の例を示す図。
【図１０Ｄ】第４実施形態に係る身体装着品の表示部に表示される映像の例を示す図。
【図１０Ｅ】第４実施形態に係る身体装着品の表示部に表示される映像の例を示す図。
【図１１】第５実施形態に係る身体装着品の構成を示す概略図。
【図１２】第５実施形態に係る身体装着品の構成を示す概略図。
【図１３】第６実施形態に係る身体装着品の構成を示す概略図。
【図１４】第６実施形態に係る身体装着品の構成を示す概略図。
【図１５】第６実施形態に係る身体装着品の構成を示す概略図。
【発明を実施するための形態】
【００３０】
以下、本発明に係る身体装着品の実施形態について、図面を参照しながら説明する。
（第１実施形態）
図１は、第１実施形態に係る身体装着品の構成を示す概略図である。図１に示すように、第１実施形態に係る身体装着品１は、ケース１０とリング１１とを備えている。ケース１０は、本願発明の筐体に相当し、略円盤状の外観を有する。リング１１は、本願発明の帯部に相当し、アーチ状の外観を有する。ケース１０とリング１１とで、環状部１ａを形成している。身体装着品１は、一般的なブレスレット型腕時計の外観を呈している。
【００３１】
ケース１０は、リング１１と係合する二か所の係合部１０ａと、裏蓋部１０ｂと、イヤホン収納部１０ｃと、クラウン（竜頭）１０ｄと、イヤホン１２とを有する。本願発明の音発生部に相当するイヤホン１２は、ケース１０の裏蓋部１０ｂに設けられたイヤホン収納部１０ｃに収納可能であり、且つ裏蓋部１０ｂから突出可能に構成されている。
【００３２】
図１には、ケース１０の裏蓋部１０ｂからイヤホン１２が突出した状態を示している。更に詳細に説明すると、イヤホン１２は、例えばゴム等で形成されたイヤパッド１２ａを備えている。時刻合わせの為の操作部であるクラウン１０ｄは、ケース１０から突出するように設けられている。
【００３３】
リング１１は、断面が略円形の細いリング形状である。リング１１は、その表面が例えば１８金等でメッキされており、ファッショナブルなブレスレットになる。リング１１には、ケース１０と係合する二か所の係合部１１ａが設けられている。
【００３４】
ケース１０とリング１１とは、例えば、スナップフィット構造等により連結される。リング１１は、使用者Ｍの耳（耳殻Ｅ）（図２参照）や手首Ｗ（図３参照）のサイズに応じて、大きさが異なるリング１１と交換することができる。また、身体装着品１を使用するＴＰＯに応じて、外観が異なるリング１１と交換してもよい。
【００３５】
身体装着品１を使用者Ｍの耳殻Ｅに装着する場合、リング１１を耳殻Ｅに引っ掛けるようにして、イヤパッド１２ａを外耳道孔に挿入する。身体装着品１では、耳殻Ｅに引っ掛ける部分（リング１１）とケース１０とで構成される環状部１ａで耳殻Ｅを囲むので、耳殻Ｅに引っ掛ける部分が無いイヤホンと比べて、イヤホン１２が外れ難い。また、環状部１ａで耳殻Ｅを囲むように装着すると、イヤホン１２が外耳道孔に挿入可能な位置に配置される。なお、リング１１は断面が略円形等で細いものであり、耳殻Ｅに引っ掛けても痛くない形状に形成されている。
【００３６】
図２は、第１実施形態に係る身体装着品の耳への装着状態を示す概略図である。図２には、身体装着品１を使用者Ｍの耳（耳殻Ｅ）に装着した場合の外観を示している。即ち、本発明の身体装着品１は、所謂イヤラブル・グッズである、と言える。図２に示すように、身体装着品１は、ケース１０に表示部１３を有する。
【００３７】
身体装着品１が使用者Ｍの耳殻Ｅに装着された状態では、表示部１３は外側に向けられており、鏡等に写さない限り、使用者Ｍは直接表示部１３を視認することができない。そこで、身体装着品１を耳殻Ｅに装着する場合には、表示部１３の表示を非表示としてもよい。このようにすれば、表示部１３が有機ＥＬディスプレイ等の消費電力の大きい自発光デバイスで構成される場合、身体装着品１の消費電力を抑えることに有効である。
【００３８】
また、身体装着品１が情報として時間データを提供する場合、身体装着品１を耳殻Ｅに装着した状態では、使用者Ｍは表示部１３を視認できないため時間データを直接目で見ることができない。そこで、このような場合に、イヤホン１２から発生する音を、表示部１３に表示する時間データに関連する音、例えば、時刻を報知する音声としてもよい。このようにすれば、使用者Ｍが情報を直接目で見ることが困難な場合であっても、表示部１３に表示する情報に関連する音を耳で聞くことにより、その情報を入手することができる。
【００３９】
図３は、第１実施形態に係る身体装着品の手首への装着状態を示す概略図である。図３には、身体装着品１を使用者Ｍの手首Ｗに装着した場合の外観を示している。即ち、本発明の身体装着品１は、所謂リスタブル・グッズである、とも言える。使用者Ｍは、腕時計を見るようにして、身体装着品１の表示部１３を視認することができる。
【００４０】
身体装着品１が使用者Ｍに提供する情報は、例えば、時間データである。この場合、身体装着品１は腕時計として機能する。しかしながら、図１に示す裏蓋部１０ｂからイヤホン１２が突出した状態で身体装着品１を使用者Ｍの手首Ｗに装着しようとすると、イヤホン１２が邪魔になり、装着感を損ねる場合がある。そこで、身体装着品１では、イヤホン１２が、ケース１０の裏蓋部１０ｂに設けられたイヤホン収納部１０ｃ（図１参照）に収納可能に構成されている。即ち、リトラクタブルイヤホンである。
【００４１】
（第２実施形態）
図４は、第２実施形態に係る身体装着品の構成を示す概略図である。図４に示すように、第２実施形態に係る身体装着品２は、本願発明の筐体に相当するケース２０と、本願発明の帯部に相当するバンド２１とを備えている。ケース２０に連結されるバンド２１は、伸縮可能な金属バンドであり、本願発明の周長変更手段でもある。バンド２１とケース２０とで環状部２ａを形成している。この環状部２ａを使用者Ｍの手首Ｗ（図３参照）に嵌めたり、使用者Ｍの耳殻Ｅ（図２参照）に嵌めたりすることができる。
【００４２】
ヒト（使用者Ｍ）の手首Ｗの周長とヒトの耳殻Ｅの周長では、耳殻Ｅの周長の方が短い場合が一般的である。そのため、身体装着品２を使用者Ｍに装着感良くフィットさせるためには、バンド２１の長さを、手首Ｗの周長に応じた第１周長と、第１周長よりも短い周長であって耳殻Ｅの周長に応じた第２周長と、に変更できることが望ましい。
【００４３】
そこで、身体装着品２のバンド２１は、所謂「Ｓ字バンド」とか「蛇腹ブレス」、あるいは「蛇腹バンド」等と呼ばれる周知技術のバンドを採用している。本願発明の身体装着品２は、手首Ｗへの装着と耳殻Ｅへの装着とを両立させるものであるので、このような伸縮可能バンドを用いることで装着感が良くなり、かつ不用意に外れ難くなる。なお、バンド２１は、伸縮可能なバンドであれば、これに限定されるものではなく、ゴム製のバンドであってもよい。
【００４４】
（第３実施形態）
図５は、第３実施形態に係る身体装着品の構成を示す概略図である。図５に示すように、第３実施形態に係る身体装着品３は、本願発明の筐体に相当するケース３０と、本願発明の帯部に相当するバンド３１とを備えている。ケース３０と、ケース３０に連結されるバンド３１とで環状部３ａを形成している。
【００４５】
バンド３１は、枠部３４ａ及びピン３４ｂ（図６参照）で構成される留め具（バックル）３４を有する。留め具３４が、本願発明の周長変更手段に相当する。留め具３４によって、バンド３１を所定の周長に調整することができる。これは、留め具を具備する一般的な腕時計と同様である。なお、ケース３０の裏蓋部３０ａには、美観を提供する装飾部３５が設けられている。装飾部３５は、例えば、エメラルド等の宝石をあしらったものであってもよい。
【００４６】
図５では、装飾部３５が内側に向くようにバンド３１が留められているが、本実施形態のバンド３１は、リバーシブルタイプのバンド（リバーシブルベルト）であって、外側と内側と（表面と裏面と）を反転させて留めることができるように構成されている。つまり、バンド３１は、図５に示す留め方とは別に、装飾部３５を外側に向けて留めることもできる。
【００４７】
図６は、第３実施形態に係る留め具の構成を示す概略図である。図６に示すように、具体的には、留め具３４の枠部３４ａがバンド３１と連結されるＸ軸を中心に回転可能になっており、ピン３４ｂはストレートなので、枠部３４ａを１８０°回転させてバンド３１を裏返せば、簡単にリバーシブルになる。なお、バンド３１をリバーシブルに装着する方法は、この方法に限定されるものではなく、既存のリバーシブルベルトの方法を適宜採用すればよい。
【００４８】
図７は、第３実施形態に係る身体装着品の外観図である。身体装着品３は、ケース３０の正面側（裏蓋部３０ａの反対側）に表示部３３を有する。表示部３３は、例えば、有機ＥＬディスプレイで構成され、様々な映像情報を表示可能である。図７には、表示部３３に、映像としてダイヤルとダイヤル上で回動する指針と（即ち時間データ）を表示して、一見したところアナログ時計のように見える表示をした例を示している。アナログ時計は視認性が高く、ファッション性もあるので、デジタル表示を好まない人には、根強い人気がある。
【００４９】
ケース３０の表示部３３が配置された面には、本願発明の音発生部に相当するスピーカー３２が配置されている。スピーカー３２は、イヤホンのように小型のものであり、大きな音を出力するのには適していないが、使用者Ｍが耳をスピーカー３２に近づけることで、小さな音量でも聴くことができる。
【００５０】
図８は、第３実施形態に係る身体装着品を耳に装着した場合の外観図である。前述したように、身体装着品３のバンド３１はリバーシブルタイプであり、図８では、図５で示した状態からバンド３１の外側と内側とを反転した留め方をしている。すなわち、ケース３０の裏蓋部３０ａに配置された装飾部３５が外側に露出する構成になる。これにより、身体装着品３は、イヤリングやイヤカフのような装身具（アクセサリー）として使用できる。
【００５１】
（第４実施形態）
図９は、第４実施形態に係る身体装着品の構成を示す概略図である。図９に示すように、第４実施形態に係る身体装着品４は、本願発明の筐体に相当するケース４０と、本願発明の帯部に相当するバンド４１とを備えている。ケース４０には、表示部（イルミネーションディスプレイ）４３が設けられている。表示部４３は、例えば、カラー表示可能な有機ＥＬディスプレイで構成される。表示部４３は、外側に向けられており、使用者Ｍの周囲に居る人から視認できる。つまり、この表示部４３は、使用者Ｍ自身が視認するためのものではなく、周囲に居る不特定多数の人が視認するためのものである。
【００５２】
図１０Ａ、図１０Ｂ、図１０Ｃ、図１０Ｄ、及び図１０Ｅは、第４実施形態に係る身体装着品の表示部に表示される映像の例を示す図である。図１０Ａ〜図１０Ｅには、表示部４３に、同じ形状の映像であって色が異なる映像４４ａ，４４ｂ，４４ｃ，４４ｄ、及び４４ｅが、時間が経過するにしたがって切り替わって表示される例を示している。
【００５３】
例えば、図１０Ａでは黄色の映像４４ａが表示され、図１０Ｂでは緑色の映像４４ｂが表示され、図１０Ｃでは青色の映像４４ｃが表示され、図１０Ｄでは赤色の映像４４ｄが表示され、図１０Ｅではピンク色の映像４４ｅが表示される。なお、図１０Ａ〜図１０Ｅでは、同じ形状の映像４４ａ〜４４ｅが表示しているが、互いに異なる形状と異なる色とを組み合わせた映像を切り替えて表示するようにしてもよい。
【００５４】
このように、第４実施形態に係る身体装着品４では、表示部４３に様々な形状や様々な色の映像を切り替えて表示することができる。表示部４３に表示される映像として、例えば、刻々と変化する宝石の映像を表示することで、遊び心のある装身具（アクセサリー）として身体装着品４を提供することができる。
【００５５】
また、津波や地震等の災害時に表示部４３が光を放ち、人（使用者Ｍ）が居ることを周囲の不特定多数の人に知らせる、といった防災の役割を担う装置として、身体装着品４を利用することもできる。表示部４３に用いる表示デバイスとしては、自発光タイプであってもよいし、バックライトタイプであってもよい。さらに、表示部４３に「ＳＯＳ」等の文字を点滅させて表示するようにしてもよい。
【００５６】
（第５実施形態）
図１１及び図１２は、第５実施形態に係る身体装着品の構成を示す概略図である。第２実施形態や第３実施形態で示した身体装着品２，３の帯部（バンド２１，３１）では、伸縮可能バンド（Ｓ字バンド）や留め具（バックル）等の周長変更手段を用いて、バンド２１，３１の環状部２ａ，３ａの周長を変更していたが、手首Ｗへの装着から耳殻Ｅへの装着への変更にあたって、必ずしも、環状部の周長を変更しなくてもよい。
【００５７】
図１１に示すように、第５実施形態に係る身体装着品５は、本願発明の筐体に相当するケース５０と、本願発明の帯部に相当するバンド５１とを備えている。図示を省略するが、ケース５０には、上記実施形態と同様に本願発明の表示部と音発生部とが設けられている。ケース５０に接続されているバンド５１の表面（外部）は柔軟性のある樹脂材料から成り、バンド５１の内部には金属ワイヤー（金属）５１ａが通されている。
【００５８】
使用者Ｍ（図３参照）は、手でバンド５１を自由に折り曲げることができる。一旦折り曲げると、内部の金属ワイヤー５１ａは周りの樹脂材料よりも剛性が高く、金属ワイヤー５１ａを変形させるだけの外力を加えなければ、バンド５１の形状は保持される。
【００５９】
身体装着品５を使用者Ｍの手首Ｗ（図３参照）へ装着する場合には、バンド５１を図１１に示す第１形状としておき、身体装着品５を使用者Ｍの耳殻Ｅ（図２参照）に装着する場合には、バンド５１を図１２に示す第２形状に変形させる。これによって、バンド５１を手首Ｗにも耳殻Ｅにも最適な形状になるように選択できる。
【００６０】
（第６実施形態）
図１３、図１４、及び図１５は、第６実施形態に係る身体装着品の構成を示す概略図である。図１３に示すように、第６実施形態に係る身体装着品６は、本願発明の筐体に相当するケース６０と、本願発明の帯部に相当するフック部６１とを備えている。ケース６０には本願発明の表示部６３と音発生部（図示省略）とが設けられている。フック部６１は、ケース６０と接続されており、第１フック部６１ａと第２フック部６１ｂとの二体で構成されている。
【００６１】
ケース６０及び第１フック部６１ａの内部には、図示しないネジリコイルバネが内蔵されている。このネジリコイルバネにより、ケース６０は、Ｘ軸を回動支点にＡ方向と反対の方向に弾性力で付勢される。使用者Ｍ（図３参照）は、このネジリコイルバネの弾性力に抗して、ケース６０を矢印Ａ方向に回動させることができる。
【００６２】
一方、第１フック部６１ａ及び第２フック部６１ｂの内部にも、図示しないネジリコイルバネが内蔵されている。このネジリコイルバネにより、第２フック部６１ｂは、Ｙ軸を回動支点にＢ方向と反対の方向に弾性力で付勢される。使用者Ｍは、このネジリコイルバネの弾性力に抗して、第２フック部６１ｂを矢印Ｂ方向に回動させることができる。
【００６３】
上述した構成により、図１４に示すように、身体装着品６を使用者Ｍの耳殻Ｅに装着する場合には、ケース６０とフック部６１（第１フック部６１ａ及び第２フック部６１ｂ）とで耳殻Ｅを挟むようにして固定される。また、図１５に示すように、身体装着品６を使用者Ｍの手首Ｗに装着する場合には、ケース６０とフック部６１（第１フック部６１ａ及び第２フック部６１ｂ）とが手首Ｗを囲むようにして固定される。
【００６４】
このように、第６実施形態に係る身体装着品６は、二つのネジリコイルバネ（弾性部材）をケース６０及びフック部６１（第１フック部６１ａ及び第２フック部６１ｂ）の内部に有する構成により、使用者Ｍの耳殻Ｅにも手首Ｗにもしっかりと固定することができる。
【００６５】
（変形例）
上述した実施形態は、本願発明の態様例を示すものであり、本願発明の範囲内で任意に変形および応用が可能である。例えば、前述した表示部１３，３３，４３，６３が映像を表示するディスプレイで構成される例を示したが、当然ながら、表示部はディスプレイに限定するものではなく、表示部が機械式の時計等であってもよい。
【００６６】
表示部１３，３３，４３，６３のようにディスプレイで構成される場合は、様々な映像を表示可能であり、表現力が優れているが、実際に指針が力学的（ダイナミック）に動くものではなく、チープな印象を与える場合がある。アナログ機械式時計は、表現力は乏しいが、嗜好性が強いので、嗜好性を追求する人には根強い人気がある。本願発明の実施者は、身体装着品の製品仕様に応じて、適宜最適な表示部を選択すればよい。
【符号の説明】
【００６７】
１，２，３，４，５，６…身体装着品、１ａ，２ａ，３ａ…環状部、１０，２０，３０，４０，５０，６０…ケース（筐体）、１１…リング（帯部）、１２…イヤホン（音発生部）、１３，３３，４３，６３…表示部、２１…バンド（帯部、周長変更手段）、３１…バンド（帯部、リバーシブルベルト）、４１，５１…バンド（帯部）、３２…スピーカー（音発生部）、３４…留め具（周長変更手段）、３５…装飾部、５１ａ…金属ワイヤー（金属）、Ｅ…耳殻、Ｍ…使用者、Ｗ…手首。
【図１】
2017153012.tif 000003
【図２】
2017153012.tif 000004
【図３】
2017153012.tif 000005
【図４】
2017153012.tif 000006
【図５】
2017153012.tif 000007
【図６】
2017153012.tif 000008
【図７】
2017153012.tif 000009
【図８】
2017153012.tif 000010
【図９】
2017153012.tif 000011
【図１０Ａ】
2017153012.tif 000012
【図１０Ｂ】
2017153012.tif 000013
【図１０Ｃ】
2017153012.tif 000014
【図１０Ｄ】
2017153012.tif 000015
【図１０Ｅ】
2017153012.tif 000016
【図１１】
2017153012.tif 000017
【図１２】
2017153012.tif 000018
【図１３】
2017153012.tif 000019
【図１４】
2017153012.tif 000020
【図１５】
2017153012.tif 000021